(57)【要約】【課題】使用者が操作せずとも、受信した電子メールの発信元や受信メール数を確認可能な電子機器を提供する。【解決手段】電子メールを受信すると、メモリ１４に記憶された登録データと電子メールの発信元アドレスとを比較し、登録データと発信元アドレスとが一致した場合に、発信元アドレスと関連付けられた画像を、表示手段１７に表示する。従って、使用者が電子機器を操作せずとも、電子メールの発信者を容易に知ることができる。また、複数個の電子メールを受信した際でも、個々の発信者を認識することも可能である。【選択図】    図３
2005057370.tif 000002
【特許請求の範囲】
【請求項１】
電子メールを受信する受信手段と、
メールアドレスを含む識別情報データを記憶する記憶手段と、
前記識別情報データに含まれるメールアドレスと前記電子メールの発信元メールアドレスとを比較する比較手段と、
前記識別情報データのメールアドレスと前記発信元メールアドレスとが一致したときに、一致した前記メールアドレスが含まれる前記識別情報データを表示する表示手段とを有することを特徴とする電子機器。
【請求項２】
前記識別情報データは、画像データを含み、
前記表示手段は、前記識別情報データのメールアドレスと前記発信元メールアドレスとが一致したときに、一致した前記メールアドレスが含まれる前記識別情報データの前記画像データを表示することを特徴とする請求項１記載の電子機器。
【請求項３】
前記識別情報データは、画像データ、および、氏名データを含み、
前記表示手段は、前記識別情報データのメールアドレスと前記発信元メールアドレスとが一致して、一致した前記メールアドレスが含まれる前記識別情報データが画像データを有さないときは、識別情報データに含まれる氏名データを表示することを特徴とする請求項１記載の電子機器。
【請求項４】
前記受信手段が複数個の前記電子メールを受信したときは、前記比較手段は各々の前記電子メールの前記発信元メールアドレスと前記識別情報データのメールアドレスとを比較し、
前記表示手段は、前記発信元メールアドレスと一致したメールアドレスを含む前記識別情報データを表示することを特徴とする請求項１記載の電子機器。
【請求項５】
前記表示手段は、前記識別情報データをスライドショーで表示することを特徴とする請求項４記載の電子機器。
【請求項６】
前記表示手段は、複数個の前記識別情報データをサムネイル画像として同時に表示することを特徴とする請求項４記載の電子機器。
【請求項７】
前記表示手段は、折り畳み式携帯電話の蓋部内側に設けられた第１表示部と、前記蓋部の外側に設けらて前記第１表示部よりも小さい第２表示部とから成り、
前記携帯電話が折畳状態であるときは、前記第２表示部に前記識別情報データをスライドショーで表示し、
前記携帯電話が折畳状態でないときは、前記第１表示部に前記識別情報データをサムネイル画像として表示することを特徴とする請求項１記載の電子機器。
【請求項８】
前記発信元メールアドレスが、シークレット登録されたアドレスと一致するときは、前記発信元メールアドレスと一致する前記識別情報データを除いて、前記識別情報データの表示を行うことを特徴とする請求項１記載の電子機器。
【発明の詳細な説明】
【０００１】
【発明の属する技術分野】
本発明は、電子メールの送受信機能を備える電子機器に関するものである。
【０００２】
【従来の技術】
近年、電子機器は小型化、高機能化が進んでいる。例えば、携帯電話機では、画面が大型化し、大量の文字情報や画像を表示出来るようになっている。
【０００３】
すなわち、電子機器において表示画面が大型化し、多くの情報を表示出来るようになると共に、カラー化により画像の表示においても充分実用となるに従い、単なる文字の表示だけでなく、文字と画像を表示することが要望されている。
【０００４】
一方、最近の携帯電話機の中には、撮像レンズおよび入力光を電気信号に変換する撮像素子を備えるカメラが搭載されたいわゆるカメラ付携帯電話機があり、このカメラ付携帯電話機では、記憶容量、画像表示サイズ、カメラの解像度および処理能力が向上している。
【０００５】
更に、最近の携帯電話は、電話を受信した際に、携帯電話内に登録して記憶されている電話番号と、発信先の電話番号とを比較する機能を有する。そして、一致する電話願号があった場合には、発信先の電話番号に関連づけられた発信者名等を表示することができる（例えば、特許文献１参照）。更に、最近の携帯電話では、電子メールの送受信が行える。
【０００６】
【特許文献１】
特開２０００−２５３１１１号公報
【０００７】
【発明が解決しようとする課題】
しかしながら、携帯電話にて電子メールを受信した場合、使用者が携帯電話を操作しなければ、受信した電子メールの発信元を確認することができない問題があった。更に、使用者が携帯電話を操作しなければ、一度に受信したメールの数を確認することも困難である問題もあった。
【０００８】
本発明は、上記した問題点を鑑みて成され、本発明の主な目的は、使用者が操作せずとも、受信した電子メールの発信元や受信メール数を確認可能な電子機器を提供することである。
【０００９】
【課題を解決するための手段】
本発明は、電子メールを受信する受信手段と、メールアドレスを含む識別情報データを記憶する記憶手段と、前記識別情報データに含まれるメールアドレスと前記電子メールの発信元メールアドレスとを比較する比較手段と、前記識別情報データのメールアドレスと前記発信元メールアドレスとが一致したときに、一致した前記メールアドレスが含まれる前記識別情報データを表示する表示手段とを有することを特徴とする。従って、本発明に依ると、受信したメールの発信者に関する情報を表示手段に表示させることができるので、使用者は、受信したメールに関する情報を容易に得ることができる。
【００１０】
更に、本発明は、前記識別情報データは、画像データを含み、前記表示手段は、前記識別情報データのメールアドレスと前記発信元メールアドレスとが一致したときに、一致した前記メールアドレスが含まれる前記識別情報データの前記画像データを表示することを特徴とする。従って、本発明によると、使用者は、メールの送信者に関連する画像を確認することにより、受信したメールの発信者を容易に知ることができる。
【００１１】
更に、本発明は、前記識別情報データは、画像データ、および、氏名データを含み、前記表示手段は、前記識別情報データのメールアドレスと前記発信元メールアドレスとが一致して、一致した前記メールアドレスが含まれる前記識別情報データが画像データを有さないときは、識別情報データに含まれる氏名データを表示することを特徴とする。従って、本発明によると、使用者は、メールの送信者に関連する氏名を確認することにより、受信したメールの発信者を容易に知ることができる。
【００１２】
更に、本発明は、前記受信手段が複数個の前記電子メールを受信したときは、前記比較手段は各々の前記電子メールの前記発信元メールアドレスと前記識別情報データのメールアドレスとを比較し、前記表示手段は、前記発信元メールアドレスと一致したメールアドレスを含む前記識別情報データを表示することを特徴とする。従って、本発明によると、使用者は、複数のメールを受信した場合でも、各々の受信メールに関する情報を得ることができる。
【００１３】
更に、本発明は、前記表示手段は、前記識別情報データをスライドショーで表示することを特徴とする。従って、本発明によると、使用者は、受信した各メールに関する情報をスムーズに得ることができる。
【００１４】
更に、本発明は、前記表示手段は、複数個の前記識別情報データをサムネイル画像として同時に表示することを特徴とする。従って、本発明によると、使用者は、受信した各メールに関する情報を同時に得ることができる。
【００１５】
更に、本発明は、前記表示手段は、折り畳み式携帯電話の蓋部内側に設けられた第１表示部と、前記蓋部の外側に設けらて前記第１表示部よりも小さい第２表示部とから成り、前記携帯電話が折畳状態であるときは、前記第２表示部に前記識別情報データをスライドショーで表示し、前記携帯電話が折畳状態でないときは、前記第１表示部に前記識別情報データをサムネイル画像として表示することを特徴とする。従って、本発明によると、使用者は、携帯電話が閉じた状態でも、開いた状態でも、受信したメールに関する情報を視覚的に得ることができる。
【００１６】
更に、本発明は、前記発信元メールアドレスが、シークレット登録されたアドレスと一致するときは、前記発信元メールアドレスと一致する前記識別情報データを除いて、前記識別情報データの表示を行うことを特徴とする。従って、本発明によると、使用者は、シークレット登録された識別情報データが漏洩してしまうのを抑止することができる。
【００１７】
【発明の実施の形態】
以下に、本発明における一実施の形態について、図面を参照にして詳細に説明する。本発明は、任意の電子機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。
【００１８】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００１９】
図１（Ａ）及び（Ｂ）に示す如く、例えば、スピーカ２は携帯電話機１の蓋部内側の上方中央に、マイク３は本体部内側の下方中央にそれぞれ配置されている。また、入力手段としてのキー操作部１８は、例えば、各種機能の決定や選択を行う決定キー１８Ａ、カメラモードを起動させるカメラキー１８Ｂ、電源投入するための電源キー１８Ｃ、各種機能や画像の選択を上下および左右方向に行える十字キー１８Ｄ、メールモードを起動させるメールキー１８Ｅ、数字や文字の入力に主に用いられる数字・文字キー１８Ｆ等から構成されている。
【００２０】
表示手段としての第１表示部１７は、スピーカ２が配置されている蓋部内側に四角形状で配置されている。また、第２表示部４は四角い形状で蓋部外側の中央付近に配置されており、その大きさは上述した第１表示部１７よりも小さい。更に、撮像部１２は、蓋部外側のヒンジ近くの中央付近に配置され、閉じた状態でも第２表示部４で被写体を確認しながら撮影ができる。また、背面キー４は第２表示部４の下方に配され、閉じた状態でシャッタキーとして使用され、使用者が自らを撮影するのに適している。開いた状態で撮影する場合は、第１表示部１７あるいは第２表示部４で被写体を確認しながら、キー操作部１８のシャッタキーを押下することで撮影することができる。
【００２１】
図２を参照して、本発明の電子機器である携帯電話の電気的構成を説明する。
本実施の形態の携帯電話機１は、主に、制御部１１、撮像部１２、画像処理部１３、メモリ１４、表示ドライバ部１６、表示部１７、バックライト２０、キー操作部１８、アンテナ２２、無線部２３、通信制御部２４を備えている。
【００２２】
制御部１１は、携帯電話機１を構成する各部位の動作を制御し、例えば、画像処理部１３、表示部１７、バックライト２０等を制御する。撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００２３】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データをメモリ１４に送る。
【００２４】
メモリ１４は、識別情報データが格納されている。この識別情報データは、氏名データとそれに関連付けられた情報から成り、具体的には、電話番号、住所、画像、メールアドレス等から構成されている。また、メモリ１４は、信号処理部から送られてくる画像データを記憶している。更にまた、メモリ１４は、情報格納用の第１のメモリと、一時的にメモリが格納される第２のメモリとから構成されても良い。例えば、第２のメモリでは、時間的に古い画像データは消去する、あるいは最も新しい画像データを上書きすることで一時的に画像データを記憶する。
【００２５】
制御部１１は、表示ドライバ部１６に制御信号を送信するとともに、メモリ１４に記憶された画像データを、表示ドライバ部１６に送る。表示ドライバ部１６は、表示部１７に表示しようとする画像データに従って、表示部１７の各画素電極に対して駆動電圧を印加する。表示部１７は、液晶ディスプレイおよびＥＬ（Ｅｌｅｃｔｒｏ  Ｌｕｍｉｎｅｓｃｅｎｃｅ）ディスプレイなどで実現され、表示ドライバ部１６を介して送られてくる画像データに基づく画像を表示する。
【００２６】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００２７】
キー操作部１８は、数字および文字を入力するための数字・文字キー１８Ｆキーなどから構成される。数字・文字キー１８Ｆは、３×４に配置されて、使用者の入力が容易なように等間隔にマトリックス状に配置されている。
【００２８】
十字キー１８Ｄは、ポインティングデバイスとして機能し、パーソナルコンピュータのマウスあるいはパッドに相当する機能を有する。従って、十字キー１８Ｄを用いることにより、機能あるいは画像等の選択を直感的に行うことができる。また、十字キー１８Ｄの代替として、突起状あるいはダイヤル型のキーを、ポインティングデバイスとして備える携帯電話も、本発明の範囲である。
【００２９】
アンテナ２２は、無線電波を介して基地局と無線通信を行うときに、音声データ、文字データおよび画像データなどを送受信する。無線部２３は、受信時は、基地局からアンテナ２２を介して受信したデータを復調し、送信時は、通信制御部２４から送られてくる文字データおよび画像データなどを変調して増幅し、アンテナ２２を介して基地局に送信する。通信制御部２４は、無線部２３が復調した文字データおよび画像データなどの受信データを所定の通信プロトコルに基づいて制御部１１に送る。無線部２３、通信制御部２４を介して受信した相手先からの受信データは、メモリ１４に記憶される。また、上記したアンテナ２２、無線部２３および通信制御部２４は、本発明では受信手段として機能する。従って、使用者の操作により、あるいは、定期的に且つ自動に、メールサーバーとの電子メールのやり取りを、受信手段により行うことができる。
【００３０】
本発明に於いて、受信手段は外部との通信を行う機構であり、アンテナ２２、無線部２３および通信制御部２４から成る。そして、外部との音声通信を行うと同時にメールの送受信も行う。また、メールの受信を行う場合は、一回の受信で１つのメールを受信する場合もあるし、１回の受信で複数個のメールを受信する場合もある。
【００３１】
本発明に於いて、記憶手段とは、例えばメモリ１４であり、メールアドレスを含む識別情報データを記憶する働きを有する。また、識別情報データ以外にも、画像データや、携帯電話の設定データ等がメモリ１４に記憶されている。識別情報データの詳細は図３を参照して後述する。
【００３２】
本発明に於いて、比較手段とは、制御部１１に内蔵され、識別情報データに含まれるメールアドレスと、受信したメールの発信元メールアドレスとを比較する機能を有する。具体的に、比較手段は、メモリ１４に記憶された複数個の識別情報データに含まれるメールアドレスと、受信したメールの発信元メールアドレスとを順次比較する。そして、受信したメールの発信元メールアドレスと一致するメールアドレスを含む識別情報データを検索する。
【００３３】
次に、図３は本発明の携帯電話機のメモリ１４に保存されている電話帳ファイルの構成を示す図である。
【００３４】
図示の如く、電話帳ファイルはメモリ１４に保存されており、そのファイル内には相手先を識別する複数の識別情報データを記憶している。
【００３５】
例えば、各行Ｚ１、Ｚ２、Ｚ３…はそれぞれ異なる人名に関する記憶領域となっており、この各行毎に各識別情報データは、レコード単位で記憶されている。
そして、各レコードは、登録番号データ、電話番号データ、電子メールのメールアドレスデータ、画像番号データ、氏名データ及びその他の情報データの各データフィールドから構成されている。
【００３６】
次に、図４以降を参照して、上記した携帯電話の動作を説明する。図４のシーケンスを説明するフローチャートを参照して、本発明の電子機器では電子メールを受信する際に、以下のような動作を行う。
【００３７】
ステップＳ１では、受信手段により電子メールの受信を開始する。これは、使用者の操作に応答して、あるいは、定期的に且つ自動的に行うことができる。そしてこのステップは、通信制御部２４、無線部２３およびアンテナ２２を介して、ホストコンピュータに接続することで行われる。一度の受信で１つのメールを受信する場合もあるし、複数個のメールを受信する場合もある。ステップＳ１を開始する前では、表示部には待ち受け画面が表示される。携帯電話が折畳状態でないときは図８（Ａ）に示すように、第１表示部１７に待ち受け画面が表示される。また、携帯電話が折畳状態のときは図８（Ｄ）に示すように、第２表示部４に待ち受け画面が表示される。そして、携帯電話を閉成することにより図８（Ａ）の状態から図８（Ｄ）の状態へ移行し、携帯電話を開成することにより図８（Ｄ）の状態から図８（Ａ）の状態へ移行する。ここで、「開成」とは折り畳み式携帯電話を閉じた状態から開く状態にする行為であり、「閉成」とは折り畳み式携帯電話を開いた状態から閉じた状態にする行為である。
【００３８】
ステップＳ２では、この時点で携帯電話が折畳状態であるか否かの判断を行う。携帯電話が折畳状態である場合（ステップＳ２のＹＥＳ）は、ステップＳ３に移行して第２表示部にメール受信中の画面を表示する。この状態を図８（Ｅ）に示す。そして、携帯電話が折畳状態でない場合（ステップＳ２のＮＯ）は、ステップＳ１４に移行して第１表示部にメール受信中の画面を表示する。この状態を図８（Ｂ）に示す。そして、携帯電話を閉成することにより図８（Ｂ）の状態から図８（Ｅ）の状態へ移行し、携帯電話を開成することにより図８（Ｅ）の状態から図８（Ｂ）の状態へ移行する。
【００３９】
ステップＳ４では、メールの受信が完了したか否かの判断を行い、メールの受信が完了した場合（ステップＳ４のＹＥＳ）はステップＳ５に移行する。そして、メールの受信が完了するまで（ステップＳ４のＮＯ）メール受信中の表示を行う。
【００４０】
ステップＳ５では、比較手段を用いて、受信したメールの発信者のメールアドレスと、メモリ１４に記憶された各識別情報データに含まれるメールアドレスアドレスとの一致判定を行う。
【００４１】
ステップＳ６では、識別情報データのメールアドレスと、受信したメールの発信者のメールアドレスとが一致した識別情報データ（以下、一致件）をカウントして、一致したメールの件数（以下、一致件数）を変数Ｘに代入する。
【００４２】
ステップＳ７では、各一致件のメールアドレスが、シークレット登録されているか否かの判定を行う。そして、シークレット登録されている一致件の件数をカウントする。以下の説明では、そのメールアドレスがシークレット登録されている識別情報データをシークレット件と呼び、その件数をシークレット件数と呼ぶ。
【００４３】
ステップＳ８では、変数Ｘから、シークレット件数を引き、その値を変数Ｘに代入する。このことで、一致件の中でシークレット件でない識別情報データの件数を算出することができる。以下の説明では、シークレット登録されていない一致件を非シークレット件と呼び、その件数を非シークレット件数と呼ぶ。
【００４４】
ステップＳ９では、変数Ｘの値が零であるか否かの判断を行う。変数Ｘの値が零である場合（ステップＳ９のＹＥＳ）は、ステップＳ１０に移行する。この場合は、一致件の全てが、シークレットとして登録されていることになる。そして、変数Ｘの値が零でない場合（ステップＳ９のＮＯ）は、ステップＳ１５に移行する。この場合は、一致件の中の少なくとも１つは非シークレット件であることになる。
【００４５】
ステップＳ１５では、変数Ｘが１であるか否かの判断を行う。即ち、このステップでは、非シークレット件数が１件であるか、または、２件以上の複数件であるかの判断を行う。変数Ｘが１の場合（ステップＳ１５のＹＥＳ）は「Ａ」に移行する。「Ａ」に移行した後の詳細は、図５を参照して後述する。変数Ｘが１でない場合（ステップＳ１５のＮＯ）は「Ｂ」に移行する。「Ｂ」に移行した後の詳細は、図６を参照して後述する。
【００４６】
ステップＳ１０では、携帯電話が折畳状態であるか否かの判断を行う。携帯電話が折畳状態でない場合（ステップＳ１０のＮＯ）は、ステップＳ１６に移行して、図８（Ｃ）に示すように、第１表示部１７にメール受信が完了した旨の表示を行う。携帯電話が折畳状態である場合（ステップＳ１０のＹＥＳ）は、ステップＳ１１に移行して、図８（Ｆ）に示すように、第２表示部４にメール受信が完了した旨の表示を行う。そして、携帯電話を閉成することにより図８（Ｃ）の状態から図８（Ｆ）の状態へ移行し、携帯電話を開成することにより図８（Ｆ）の状態から図８（Ｃ）の状態へ移行する。
【００４７】
ステップＳ１２では、使用者によるメール閲覧の操作が有るか否かの判断を行う。メール閲覧の操作が有る場合（ステップＳ１２のＹＥＳ）は、ステップＳ１７に移行してメール閲覧処理を行った後に、ＥＮＤに至る。メール閲覧の操作が無い場合（ステップＳ１２のＮＯ）は、ステップＳ１３に移行して第１時間が経過したか否かの判断を行い、第１時間が経過した場合（ステップＳ１３のＹＥＳ）はＥＮＤに至る。ここで、第１時間とは、使用者がメール操作を行う意志があるか否かを判断するために予め決められた所定の時間であり、具体的には、例えば３０秒である。
【００４８】
次に、図５のフローチャートおよび図９を参照して、上記「Ａ」以降の携帯電話の動作を説明する。即ち、受信したメールの非シークレット件数が１件で有った場合の、携帯電話の動作を説明する。
【００４９】
また、メールの受信中に於いては、第１表示部１７または第２表示部４には、受信中を示す旨のメッセージが表示されている。携帯電話が折畳状態では、図９（Ｆ）に示すように、第２表示部４にメール受信中を示す旨のメッセージが表示される。そして、携帯電話が折畳状態でない場合は、図９（Ｃ）に示すように、第１表示部１７にメール受信中を示す旨のメッセージが表示される。そして、携帯電話を閉成することにより図９（Ｃ）の状態から図９（Ｆ）の状態へ移行し、携帯電話を開成することにより図９（Ｆ）の状態から図９（Ｃ）の状態へ移行する。
【００５０】
ステップＳ２０では、携帯電話が折畳状態か否かの判断を行う。折畳状態である場合（ステップＳ２０のＹＥＳ）は、ステップＳ２１に移行して第２表示部に関連画像を表示する。この状態を図９（Ｇ）に示し、ここでは、非シークレット件の１件に関連づけられた画像である人面の画像が、第２表示部４に表示される。また、折畳状態でない場合（ステップＳ２０のＮＯ）は、ステップＳ３０に移行して第１表示部１７に関連画像を表示する。この状態を図９（Ｄ）に示し、ここでは、非シークレット件の１件に関連づけられた画像である人面の画像が、第１表示部１７に表示される。そして、携帯電話を閉成することにより図９（Ｄ）の状態から図９（Ｇ）の状態へ移行し、携帯電話を開成することにより図９（Ｇ）の状態から図９（Ｄ）の状態へ移行する。
【００５１】
上記では、非シークレット件に関連づけられた画像が有る場合を説明したが、非シークレット件に関連づけられた画像が無い場合では、非シークレット件に関連づけられた氏名データやグループデータを表示部に表示させる。図９（Ａ）では、第２表示部４に、メール発信者の氏名データである「○○さん」とそのグループデータである「会社関係グループ」とが表示された状態を示している。また、図９（Ｂ）では、第１表示部１７に、メール発信者の氏名データである「○○さん」とそのグループデータである「会社関係グループ」とが表示された状態を示している。そして、携帯電話を閉成することにより図９（Ａ）の状態から図９（Ｂ）の状態へ移行し、携帯電話を開成することにより図９（Ｂ）の状態から図９（Ａ）の状態へ移行する。
【００５２】
ステップＳ２２では、使用者によるメール閲覧操作が有るか否かの判断を行う。使用者によるメール閲覧操作が有った場合（ステップＳ２２のＹＥＳ）は、ステップＳ３１に移行して、メール閲覧処理を行った後に、ＥＮＤに至る。また、使用者によるメール閲覧操作が無かった場合（ステップＳ２２のＮＯ）は、ステップＳ２３に移行する。
【００５３】
ステップＳ２３では、第１時間が経過したか否かの判断を行う。第１時間が経過した場合（ステップＳ２３のＹＥＳ）は、使用者がメール操作を行う意志は現時点では無いものと判断してＥＮＤに至る。そして、第１時間が経過していない場合（ステップＳ２３のＮＯ）は、ステップＳ２４に移行する。
【００５４】
ステップＳ２４では、第２時間が経過したか否かの判断を行う。ここで、第２時間とは、非シークレット件に関連づけられた関連画像または、氏名データ等を連続して表示する時間であり、予め決められている。そして、第２時間は、上述した第１時間よりも短く設定され、例えばその時間は２秒程度である。第２時間が経過していない間（ステップＳ２４のＮＯ）は、ステップＳ２０に戻り、ステップＳ２１またはステップＳ３０による表示を連続して行う。第２時間が経過したとき（ステップＳ２４のＹＥＳ）は、ステップＳ２５に移行する。
【００５５】
ステップＳ２５では、携帯電話が折畳状態であるか否かの判断を行い、折畳状態である場合（ステップＳ２５のＹＥＳ）はステップＳ２６に移行して、第２の表示部４にメール受信完了のメッセージを表示する。この状態を図９（Ｈ）に示す。そして、携帯電話が折畳状態でない場合は、ステップＳ３２に移行して、第１の表示部１６にメール受信完了のメッセージを表示する。この状態を図９（Ｅ）に示す。そして、携帯電話を閉成することにより図９（Ｅ）の状態から図９（Ｈ）の状態へ移行し、携帯電話を開成することにより図９（Ｈ）の状態から図９（Ｅ）の状態へ移行する。
【００５６】
ステップＳ２７では、使用者がメールの閲覧処理を行ったか否かの判断を行い、メールの閲覧処理を行った場合（ステップＳ２７のＹＥＳ）は、ステップＳ３３に移行してメール閲覧処理を行った後に、ＥＮＤに至る。また、使用者がメールの閲覧処理を行わなかった場合（ステップＳ２７のＮＯ）に、第１時間が経過した場合（ステップＳ２８のＹＥＳ）は、ＥＮＤに至る。また、第１時間が経過していない場合（ステップＳ２８のＮＯ）に於いて、第２時間が経過するまで（ステップＳ２９のＮＯ）は、ステップＳ２５に戻って、ステップＳ２６またはステップＳ３２の表示を行う。また、また、第１時間が経過していない場合（ステップＳ２８のＮＯ）に於いて、第２時間が経過した場合（ステップＳ２９のＹＥＳ）は、「Ａ」に移行する。即ち、ステップＳ２０に移行して、ステップＳ２０または、ステップＳ３０の表示を行う。
【００５７】
以上をまとめてみると、非シークレット件が１件有った場合は、この１件の非シークレット件に関連づけられた画像データまたは氏名データと、メールを受信した旨を示すメッセージとを交互に表示させる。例えば、２件のメールを受信して、１件のメールに対応する識別情報データが非シークレット件であり、もう１件の識別情報データがシークレット件で有った場合は、非シークレット件に関連づけられたデータと、上記メッセージとを交互に、第１時間が経過する間で表示する。また、メールを受信した旨を示すメッセージを表示する場合は、シークレット件を含む全件の件数を表示しても良い。
【００５８】
次に、図６、図７および図１０を参照して、図１に示すフローチャートの「Ｂ」以降の携帯電話の動作を説明する。即ち、非シークレット件数が複数件であった場合の、携帯電話の動作を説明する。
【００５９】
尚、メールの受信中に於いては、第１表示部１７または第２表示部４には、受信中を示す旨のメッセージが表示されている。携帯電話が折畳状態では、図１０（Ａ）に示すように、第２表示部４にメール受信中を示す旨のメッセージが表示される。そして、携帯電話が折畳状態でない場合は、図１０（Ｆ）に示すように、第１表示部１７にメール受信中を示す旨のメッセージが表示される。そして、携帯電話を開成することにより図１０（Ａ）の状態から図１０（Ｆ）の状態へ移行し、携帯電話を閉成することにより図１０（Ｆ）の状態から図１０（Ａ）の状態へ移行する。
【００６０】
図６を参照して、メールを受信した後の動作を説明する。先ず、ステップＳ４０では、非シークレット件数を示す変数Ｘを、他の変数Ｙに代入する。次に、ステップＳ４１では、携帯電話が折畳状態であるか否かの判断を行い、折畳状態である場合（ステップＳ４１のＹＥＳ）は、ステップＳ４２に移行する。また、折畳状態でない場合（ステップＳ４１のＮＯ）は、「Ｃ」に移行し、その後の詳細は図７のフローチャートを参照して説明する。
【００６１】
ステップＳ４２では、Ｙ番目の非シークレット件に関連づけられた関連画像を第２表示部４に表示する。関連画像が無い場合は、Ｙ番目の非シークレット件に関連づけられた氏名データを第２表示部４に表示する。更に、関連づけられた名称も無い場合は、発信者のメールアドレスを表示させても良い。
【００６２】
ここでは、一例として、合計で４件のメールを受信して、その内の１件がシークレット件であり、他の３件が非シークレット件であるとしている。そして、３件の非シークレット件の中でも、２件の非シークレット件は関連する画像が有り、他の１件のシークレット件は関連する画像が無いとしている。ここでは、図１０（Ｂ）を参照して、Ｙ番目の非シークレット件に関連づけられた画像として、人面の画像が表示されている。
【００６３】
ステップＳ４３では、メール閲覧の操作が有るか否かの判断を行う。メール閲覧の操作が有る場合（ステップＳ４３のＹＥＳ）は、ステップＳ５３に移行してメール閲覧処理を行った後に、ＥＮＤに至る。メール閲覧の操作が無い場合（ステップＳ４３のＮＯ）は、ステップＳ４４に移行して第１時間が経過したか否かの判断を行い、第１時間が経過した場合（ステップＳ４４のＹＥＳ）はＥＮＤに至る。そして、第１時間が経過していない間（ステップＳ４４のＮＯ）は、第２時間が経過したか否かの判断を行い、第２時間が経過していない間（ステップＳ４５のＮＯ）は、ステップＳ４１に戻って、Ｙ番目の関連画像の表示を連続して行う。また、第２時間が経過した場合（ステップＳ４５のＹＥＳ）は、ステップＳ４６に移行する。
【００６４】
ステップＳ４６では、変数Ｙの値を１つ小さくする。具体的には、変数Ｙから１つ引いた値を、変数Ｙに代入する。このことにより、（Ｙ−１）番目の識別情報データを表示部に表示することができる。そして、ステップＳ４７では、変数Ｙの値が零であるか否かの判断を行う。変数Ｙの値が零である場合（ステップＳ４７のＹＥＳ）は、ステップＳ４８に移行する。また、変数Ｙの値が零でない場合（ステップＳ４７のＮＯ）は、ステップＳ４１に戻る。即ち、非シークレット件数に対応した上記の処理（ステップＳ４１からステップＳ４６）を行う。図１０を参照して、ここでは、図１０（Ｂ）、図１０（Ｃ）そして図１０（Ｅ）の順序で非シークレット件に関連づけられた画像データまたは氏名データを、第２時間経過毎に、第２表示部４に、表示している。
【００６５】
次に、ステップＳ４８では、この時点で携帯電話が折畳状態か否かの判断を行い、折畳状態で無い場合（ステップＳ４８のＮＯ）は、「Ｃ」に移行し、これ以降の動作は図７のフローチャートを参照して説明する。また、折畳状態である場合（ステップＳ４８のＹＥＳ）は、ステップＳ４９に移行する。
【００６６】
ステップＳ４９では、メール受信が完了した旨の表示を第２表示部４に行う。この状態を図１０（Ｄ）に示す。そして、ステップＳ５０に移行する。
【００６７】
ステップＳ５０では、メール閲覧の操作が有るか否かの判断を行う。メール閲覧の操作が有る場合（ステップＳ５０のＹＥＳ）は、ステップＳ５４に移行してメール閲覧処理を行った後に、ＥＮＤに至る。メール閲覧の操作が無い場合（ステップＳ５０のＮＯ）は、ステップＳ５１に移行して第１時間が経過したか否かの判断を行い、第１時間が経過した場合（ステップＳ５１のＹＥＳ）はＥＮＤに至る。そして、第１時間が経過していない間（ステップＳ５１のＮＯ）は、ステップＳ５２にて第２時間が経過したか否かの判断を行い、第２時間が経過していない間（ステップＳ５２のＮＯ）は、ステップＳ４８に戻って、メール受信が完了した旨の表示を第２表示部４に行う。そして、第２時間が経過した場合（ステップＳ５２のＹＥＳ）は、「Ｂ」に移行する。即ち、図１０（Ｂ）に示す状態に示す。
【００６８】
図６に示すステップＳ４０からステップＳ５２までの携帯電話の動作をまとめる。非シークレット件数が複数件であり、且つ、携帯電話が折畳状態である場合は、第２表示部４に、非シークレット件に関連する画像データまたは氏名データを第２時間毎にスライドショー表示させる。そして、メールを受信した旨のメッセージも、共に、スライドショー表示させる。非シークレット件に関連する画像は、第２表示部４に大きく表示されるので、人面等を明確に確認することができる。
【００６９】
次に図７のフローチャートを参照して、受信したメールの非シークレット件数が複数件であり、且つ、携帯電話が折畳状態でない場合の携帯電話の動作を説明する。
【００７０】
ステップＳ６０では、携帯電話が折畳状態で有るか否かの判断を行い、折畳状態である場合（ステップＳ６０のＹＥＳ）は、「Ｂ」に移行する。即ち、図６に示すステップＳ４０に移行する。そして、携帯電話が折畳状態でない場合（ステップＳ６０のＮＯ）は、ステップＳ６１に移行し、非シークレット件に関連する画像に基づくサムネイル画像を、第１表示部１７に表示させる。この状態を図１０（Ｇ）に示す。非シークレット件が複数件である場合は、複数個の関連する画像に基づくサムネイル画像を第１表示部１７に同時に表示させる。
【００７１】
ここで、シークレット件については、関連画像の表示は行わない。また、非シークレット件であって、関連画像が記憶されていないものについては、発信者情報（名称やグループ）を表示する。
【００７２】
ステップＳ６２では、メール閲覧の操作が有るか否かの判断を行う。メール閲覧の操作が有る場合（ステップＳ６２のＹＥＳ）は、ステップＳ７０に移行してメール閲覧処理を行った後に、ＥＮＤに至る。メール閲覧の操作が無い場合（ステップＳ６２のＮＯ）は、ステップＳ６３に移行して第１時間が経過したか否かの判断を行い、第１時間が経過した場合（ステップＳ６３のＹＥＳ）はＥＮＤに至る。そして、第１時間が経過していない間（ステップＳ６３のＮＯ）は、第２時間が経過したか否かの判断を行い、第２時間が経過していない間（ステップＳ６４のＮＯ）は、ステップＳ６０に戻って、サムネイル画像の表示を連続して行う。そして、第２時間が経過した場合（ステップＳ６４のＹＥＳ）は、ステップＳ６５に移行する。
【００７３】
次に、ステップＳ６５では、この時点で携帯電話が折畳状態か否かの判断を行い、折畳状態で無い場合（ステップＳ６５のＮＯ）は、ステップＳ６６に移行する。また、折畳状態である場合（ステップＳ６５のＹＥＳ）は、「Ｂ」に移行する。
【００７４】
ステップＳ６６では、メール受信が完了した旨のメッセージの表示を第２表示部４に行う。この状態を図１０（Ｈ）に示す。そして、ステップＳ６７に移行する。
【００７５】
ステップＳ６７では、メール閲覧の操作が有るか否かの判断を行う。メール閲覧の操作が有る場合（ステップＳ６７のＹＥＳ）は、ステップＳ７１に移行してメール閲覧処理を行った後に、ＥＮＤに至る。メール閲覧の操作が無い場合（ステップＳ６７のＮＯ）は、ステップＳ６８に移行して第１時間が経過したか否かの判断を行い、第１時間が経過した場合（ステップＳ６８のＹＥＳ）はＥＮＤに至る。そして、第１時間が経過していない間（ステップＳ６８のＮＯ）は、ステップＳ６９にて第２時間が経過したか否かの判断を行い、第２時間が経過していない間（ステップＳ６９のＮＯ）は、ステップＳ６５に戻って、メール受信が完了した旨の表示を第１表示部１７に行う。そして、第２時間が経過した場合（ステップＳ６９のＹＥＳ）は、「Ｃ」に移行する。即ち、図１０（Ｇ）に示す状態になる。
【００７６】
図６に示すステップＳ４０からステップＳ５２までの携帯電話の動作をまとめる。非シークレット件数が複数件であり、且つ、携帯電話が折畳状態でない場合は、第１表示部１７に、非シークレット件に関連する画像データに基づくサムネイル画像データ、または、名称を一括して表示させる。そして、メールを受信した旨のメッセージも、共に、スライドショー表示させる。複数個のサムネイル画像を第１表示部１７に表示させるので、受信したメールの発信者やその数を容易に知ることができる。
【００７７】
また、上記説明では、電子メールを受信した際の表示方法に関して説明を行ったが、ここで電子メールとは、インターネットメールや各携帯電話メーカーにより規定された規格のメールも含む。
【００７８】
【発明の効果】
本発明では、電子メールを受信した際に、この電子メールの発信元アドレスと一致する前記識別情報データが含む画像を、表示手段に表示するので、使用者は操作せずとも受信した電子メールの発信者を容易に知ることができる。
【００７９】
更に本発明では、複数個の電子メールを受信した場合でも、この電子メールの発信元アドレスと一致する前記識別情報データが含む画像を、スライドショー表示またはサムネイル画像を表示することにより、複数の受信した電子メールの発信者を容易に知ることができる。
【００８０】
また、所定の時間が経過したら上記表示を終了するので、使用電力を抑制することができる。
【図面の簡単な説明】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明する概略機能ブロック図である。
【図３】同携帯電話機の電話帳ファイルの構成を示す図である。
【図４】同携帯電話機のシーケンスを説明するフローチャートである。
【図５】同携帯電話機のシーケンスを説明するフローチャートである。
【図６】同携帯電話機のシーケンスを説明するフローチャートである。
【図７】同携帯電話機のシーケンスを説明するフローチャートである。
【図８】同携帯電話機の表示方法を示す平面図（Ａ）−（Ｆ）である。
【図９】同携帯電話機の表示方法を示す平面図（Ａ）−（Ｈ）である。
【図１０】同携帯電話機の表示方法を示す平面図（Ａ）−（Ｈ）である。
【符号の説明】
１          カメラ付携帯電話機
２          スピーカー
３          マイク
４          第２表示部
５          背面キー
１１          制御部
１２          撮像部
１３          画像処理部
１４          メモリ
１６          表示ドライバ部
１７          表示部
２０          バックライト
１８          キー操作部
２４          アンテナ
２５          無線部
２６          通信制御部
【図１】
2005057370.tif 000003
【図２】
2005057370.tif 000004
【図３】
2005057370.tif 000005
【図４】
2005057370.tif 000006
【図５】
2005057370.tif 000007
【図６】
2005057370.tif 000008
【図７】
2005057370.tif 000009
【図８】
2005057370.tif 000010
【図９】
2005057370.tif 000011
【図１０】
2005057370.tif 000012